(57)【要約】【課題】ローカル暗号で保存する記録コンテンツがコピー／ムーブ可能なコンテンツ（ダビング１０、コピーフリー、ムーブ可）だった場合、記録完了後に自動でＤＴＣＰ−ＩＰ対応機器にコピー／ムーブする。或いは、記録中に平行して自動でＤＴＣＰ−ＩＰ対応機器にコピー／ムーブを行う。【解決手段】制御部は、蓄積用ストレージへの記録指示を受け付けると、蓄積用ストレージへ番組の記録を実行する。制御部は、蓄積用ストレージへ記録された番組が、（１）コピー可能である、（２）自動でＤＴＣＰ−ＩＰ対応のストレージにコピーする設定になっている、（３）ＤＴＣＰ−ＩＰ対応のストレージが接続中である、の３つの条件を満たすとき、蓄積用ストレージへ記録された番組を、ＤＴＣＰ−ＩＰ対応のストレージへコピーする。【選択図】  図６
2011160153.tif 000002
【特許請求の範囲】
【請求項１】
番組を受信する受信手段と、
前記番組がコピーまたはムーブ可能か否かを判断する判断手段と、
前記番組をＩＰネットワーク上のストレージに記録するか否かの設定を記憶する記憶手段と、
前記受信手段が受信した番組をローカル暗号化して記録媒体に記録する第１の記録手段と、
前記第１の記録手段が前記記録媒体に記録した番組を再生する再生手段と、
前記再生手段が再生した前記ローカル暗号化されている番組を暗号復号する暗号復号手段と、
前記暗号復号手段が暗号復号した番組を、ＤＴＣＰ（Digital Transmission Content Protection）−ＩＰによる暗号化を行い、この暗号化した番組を前記ＩＰネットワーク上のＤＴＣＰ−ＩＰ対応のストレージに記録する第２の記録手段と、
前記記憶手段が記憶する設定内容がコピー動作を行う設定であると共に、前記判断手段がコピーまたはムーブ可能であると判断した場合に、前記再生手段、前記暗号復号手段、前記第２の記録手段に各々の処理を実行させ、前記第１の記録手段が前記記録媒体に記録した番組を、前記ＩＰネットワーク上のＤＴＣＰ−ＩＰ対応のストレージに記録させる制御手段とを備えたことを特徴とする記録再生装置。
【請求項２】
前記制御手段は、前記第１の記録手段が前記番組をローカル暗号化して記録媒体に記録している最中に、前記第１の記録手段が前記記録媒体に記録した番組を、前記ＩＰネットワーク上のＤＴＣＰ−ＩＰ対応のストレージに記録させることを特徴とする請求項１記載の記録再生装置。
【請求項３】
前記制御手段は、前記ＩＰネットワーク上のＤＴＣＰ−ＩＰ対応のストレージが接続されていない場合に、前記第１の記録手段が前記記録媒体に記録した番組を、前記ＩＰネットワーク上のＤＴＣＰ−ＩＰ対応のストレージに記録させないことを特徴とする請求項１乃至２のいずれか１項記載の記録再生装置。
【請求項４】
更に、前記ＩＰネットワーク上のＤＴＣＰ−ＩＰ対応のストレージとして複数のストレージに対して優先順位を付けて登録する手段を備え、
前記第２の記録手段は、前記暗号化した番組を、前記優先順位に応じた順番で前記ＩＰネットワーク上に接続されているＤＴＣＰ−ＩＰ対応のストレージに記録することを特徴とする請求項１乃至３のいずれか１項記載の記録再生装置。
【請求項５】
更に、前記判断手段の判断した結果、前記番組がムーブ可能なコンテンツである場合に、前記記録媒体に記録された番組を削除する削除手段を備えたことを特徴とする請求項１乃至４のいずれか１項記載の記録再生装置。
【請求項６】
受信手段により番組を受信し、
判断手段により前記番組がコピーまたはムーブ可能か否かを判断し、
記憶手段により前記番組をＩＰネットワーク上のストレージに記録するか否かの設定を記憶し、
第１の記録手段により、前記受信手段が受信した番組をローカル暗号化して記録媒体に記録し、
再生手段により、前記第１の記録手段が前記記録媒体に記録した番組を再生し、
暗号復号手段により、前記再生手段が再生した前記ローカル暗号化されている番組を暗号復号し、
第２の記録手段により、前記暗号復号手段が暗号復号した番組を、ＤＴＣＰ（Digital Transmission Content Protection）−ＩＰによる暗号化を行い、この暗号化した番組を前記ＩＰネットワーク上のＤＴＣＰ−ＩＰ対応のストレージに記録し、
制御手段により、前記記憶手段が記憶する設定内容がコピー動作を行う設定であると共に、前記判断手段がコピーまたはムーブ可能であると判断した場合に、前記再生手段、前記暗号復号手段、前記第２の記録手段に各々の処理を実行させ、前記第１の記録手段が前記記録媒体に記録した番組を、前記ＩＰネットワーク上のＤＴＣＰ−ＩＰ対応のストレージに記録させることを特徴とする記録再生方法。
【発明の詳細な説明】
【技術分野】
【０００１】
この発明は、受信した番組を記録する記録再生装置および記録再生方法に関する。
【背景技術】
【０００２】
従来、コピー回数制限を記録コンテンツに設けるものが知られている（例えば、特許文献１参照）。
また、従来のコピー個数の制限など、複雑なコピー制御情報が存在する中で、コピー操作時にユーザが容易に理解可能なインタフェースが知られている（例えば、特許文献２参照）。
【０００３】
また、ＩＰネットワーク上でコンテンツの送受信を行う際に、コンテンツの著作権を保護するための仕組みとして、ＤＴＣＰ−ＩＰ（Digital Transmission Content Protection over Internet Protocol）が知られている。
【０００４】
放送された番組をハードディスク等のストレージに記録する場合、著作権保護のため、実際に記録に使用した記録再生機器でしか再生できないようにする必要がある。このため番組は記録再生機器固有の暗号鍵にて暗号化してからストレージに記録する。
【０００５】
この場合、番組を記録した記録コンテンツを、ネットワークを介して接続されている複数の機器で共有したいというニーズに応えることができない。また、記録再生機器が故障した際に記録コンテンツを再生する手段がなくなるという問題がある。
【０００６】
この問題は、ストレージ上の記録機器固有の暗号鍵にて暗号化されている記録コンテンツを、ＤＴＣＰ−ＩＰによる暗号化に変換し、家庭内ネットワークにあるＤＴＣＰ−ＩＰ対応のストレージにコピーすることで回避できる。このストレージは、ＤＴＣＰ−ＩＰ対応のストレージであれば何の機器でもよく、例えばＤＴＣＰ−ＩＰ対応のストレージ機能を有するＬＡＮ  ＨＤＤやＨＤＤレコーダであってもよい。
【０００７】
しかし、従来蓄積用ストレージに記録した番組のコンテンツをＤＴＣＰ−ＩＰ対応のストレージにコピーするためには、蓄積用ストレージに記録する操作の後、別にユーザ操作が必要になるという問題があった。
【先行技術文献】
【特許文献】
【０００８】
【特許文献１】特開２００８−３０５４６３号公報
【特許文献２】特開２００９−０１６００２号公報
【発明の概要】
【発明が解決しようとする課題】
【０００９】
この発明は、蓄積用ストレージに記録した番組のコンテンツをＤＴＣＰ−ＩＰ対応のストレージにコピーするために、蓄積用ストレージに記録する操作の後、更なるユーザ操作を必要としない記録再生装置、記録再生方法を提供することを目的とする。
【課題を解決するための手段】
【００１０】
上記の目的を達成するために、この発明においては、番組を受信する受信手段と、前記番組がコピーまたはムーブ可能か否かを判断する判断手段と、前記番組をＩＰネットワーク上のストレージに記録するか否かの設定を記憶する記憶手段と、前記受信手段が受信した番組をローカル暗号化して記録媒体に記録する第１の記録手段と、前記第１の記録手段が前記記録媒体に記録した番組を再生する再生手段と、前記再生手段が再生した前記ローカル暗号化されている番組を暗号復号する暗号復号手段と、前記暗号復号手段が暗号復号した番組を、ＤＴＣＰ（Digital Transmission Content Protection）−ＩＰによる暗号化を行い、この暗号化した番組を前記ＩＰネットワーク上のＤＴＣＰ−ＩＰ対応のストレージに記録する第２の記録手段と、前記記憶手段が記憶する設定内容がコピー動作を行う設定であると共に、前記判断手段がコピーまたはムーブ可能であると判断した場合に、前記再生手段、前記暗号復号手段、前記第２の記録手段に各々の処理を実行させ、前記第１の記録手段が前記記録媒体に記録した番組を、前記ＩＰネットワーク上のＤＴＣＰ−ＩＰ対応のストレージに記録させる制御手段とを備えたことを特徴とする記録再生装置を提供する。
【００１１】
また、上記の目的を達成するために、この発明においては、受信手段により番組を受信し、判断手段により前記番組がコピーまたはムーブ可能か否かを判断し、記憶手段により前記番組をＩＰネットワーク上のストレージに記録するか否かの設定を記憶し、第１の記録手段により、前記受信手段が受信した番組をローカル暗号化して記録媒体に記録し、再生手段により、前記第１の記録手段が前記記録媒体に記録した番組を再生し、暗号復号手段により、前記再生手段が再生した前記ローカル暗号化されている番組を暗号復号し、第２の記録手段により、前記暗号復号手段が暗号復号した番組を、ＤＴＣＰ（Digital Transmission Content Protection）−ＩＰによる暗号化を行い、この暗号化した番組を前記ＩＰネットワーク上のＤＴＣＰ−ＩＰ対応のストレージに記録し、制御手段により、前記記憶手段が記憶する設定内容がコピー動作を行う設定であると共に、前記判断手段がコピーまたはムーブ可能であると判断した場合に、前記再生手段、前記暗号復号手段、前記第２の記録手段に各々の処理を実行させ、前記第１の記録手段が前記記録媒体に記録した番組を、前記ＩＰネットワーク上のＤＴＣＰ−ＩＰ対応のストレージに記録させることを特徴とする記録再生方法を提供する。
【００１２】
なお、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１３】
この発明によれば、蓄積用ストレージに記録した番組のコンテンツをＤＴＣＰ−ＩＰ対応のストレージにコピーするために、蓄積用ストレージに記録する操作の後、更なるユーザ操作を必要としない記録再生装置、記録再生方法を得ることができる。
【図面の簡単な説明】
【００１４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】デジタルテレビジョン放送受信装置１１１が、受信した記録対象の番組に対してローカル暗号を施して蓄積用ストレージであるＨＤＤ１３９に記録する動作を説明するための図。
【図４】デジタルテレビジョン放送受信装置１１１が、蓄積用ストレージであるＨＤＤ１３９に記録した番組を、ＤＴＣＰ−ＩＰ（Digital Transmission Content Protection over Internet Protocol）に対応したＤＴＣＰ−ＩＰ対応のストレージに記録する動作を説明するための図。
【図５】設定を行うための設定画面の例を示す図。
【図６】デジタルテレビジョン放送受信装置１１１の番組の記録動作を説明するためのフローチャート。
【図７】設定を行うための設定画面の例を示す図。
【発明を実施するための形態】
【００１５】
以下、図面を参照しながら本発明の実施形態について説明する。
（第１の実施形態）
図１は、この発明を適用したデジタルテレビジョン放送受信装置１１１の外観と、このデジタルテレビジョン放送受信装置１１１を中心として構成されるネットワークシステムの一例を概略的に示している。
【００１６】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１７】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１８】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１９】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００２０】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００２１】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２２】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００２３】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２４】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２５】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２６】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２７】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２８】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２９】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００３０】
チューナ２４５ａは、制御部２６１からの制御信号により所望のチャンネルの放送信号を選局し、この選局された放送信号をＰＳＫ（Phase Shift Keying）復調器２４５ｂに出力する。
【００３１】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３２】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３３】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３４】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３５】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３６】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３７】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３８】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３９】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００４０】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００４１】
また、字幕放送による字幕を表示するとき、グラフィック処理部２５４は、制御部２６１からの制御による字幕情報に基づき、映像信号上に字幕情報を重畳する処理を行う。
【００４２】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４３】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４４】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４５】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４６】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４７】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４８】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４９】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００５０】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５１】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５２】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００５３】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５４】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５５】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５６】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５７】
本発明では、上記図１および図２で示したように、複数のチューナ（チューナ２４５ａ、チューナ２５０ａ）を搭載して番組を記録するものとして説明するが、本発明ではチューナは複数に限らず１つであってもよい。また、電波を用いて放送波に乗せられた番組をチューナで受信する他、ＩＰ網経由で送信された番組を受信する形態であってもよい。
【００５８】
本発明は、受信した番組をユーザの指示に応じて、蓄積用ストレージであるＵＳＢ端子１２３に接続されたＨＤＤ１３９に記録する機能を備えている。なお、この蓄積用ストレージ（ＨＤＤ１３９）は図１ではデジタルテレビジョン放送受信装置１１１の外部に設けられているが、デジタルテレビジョン放送受信装置１１１内に内蔵していても良い。
【００５９】
次に、図３を用いて受信した番組にローカル暗号化処理を施したローカル暗号化ストリームを蓄積用ストレージに記録する動作について説明する。
図３は、デジタルテレビジョン放送受信装置１１１が、受信した記録対象の番組に対してローカル暗号を施して蓄積用ストレージであるＨＤＤ１３９に記録する動作を説明するための図である。
【００６０】
図３に示すようにデジタルテレビジョン放送受信装置１１１は、記録対象の番組を、記録に使用する機器でのみ再生可能なように、デジタルテレビジョン放送受信装置１１１固有の鍵にてローカル暗号を施して蓄積用ストレージであるＨＤＤ１３９に記録する機能を有している。
【００６１】
この記録処理は詳細には、図２の制御部２６１によって実行される。制御部２６１は、ＵＳＢ  Ｉ／Ｆ２７１経由でＵＳＢ端子１２３に接続されている蓄積用ストレージのＨＤＤ１３９に記録することで記録処理が行われる。
【００６２】
このローカル暗号処理もまた、図２の制御部２６１によって実行される。ローカル暗号化するときの鍵については、例えば制御部２６１の内部に設けられている不揮発性メモリに記憶しているものを用いる。
【００６３】
なお、この実施形態では蓄積用ストレージとしてＵＳＢ接続されたＨＤＤ１３９を例として説明する。しかし、蓄積用ストレージとしてはＵＳＢ接続されているものに限定するものではなく、例えばＨＤＤ１２５、ＨＤＤ１２７、コンテンツサーバ１２８、コンテンツサーバ１３３等ネットワーク接続されているストレージであってもよい。この場合記録した番組を、ネットワーク接続された蓄積用ストレージから、ネットワーク接続されたＤＴＣＰ−ＩＰ対応のストレージへコピーやムーブすることとなる。
【００６４】
次に、図４を用いて、図３で記録されたローカル暗号化ストリームを蓄積用ストレージから再生し、ローカル暗号を暗号復号した後、ＤＴＣＰ−ＩＰ暗号化しＤＴＣＰ−ＩＰ対応のストレージに記録する動作について説明する。
【００６５】
図４は、デジタルテレビジョン放送受信装置１１１が、蓄積用ストレージであるＨＤＤ１３９に記録した番組を、ＤＴＣＰ−ＩＰ（Digital Transmission Content Protection over Internet Protocol）に対応したＤＴＣＰ−ＩＰ対応のストレージに記録する動作を説明するための図である。
【００６６】
図４に示すようにデジタルテレビジョン放送受信装置１１１は、図３で説明したローカル暗号を施して蓄積用ストレージであるＨＤＤ１３９に記録した番組を、ＤＭＳ（デジタル・メディア・サーバ）にアップロードする機能を備えている。このＤＭＳとは、ＤＬＮＡ機器のうちコンテンツを配信するサーバ機能を有する機器を指す。ＤＭＳは、必ずしも、ＤＴＣＰ−ＩＰによるコンテンツアップロードに対応するとは限らない。この実施形態ではＤＭＳとして図１のＨＤＤ１２５、ＨＤＤ１２７、コンテンツサーバ１２８、コンテンツサーバ１３３等が対応し、これらはＤＴＣＰ−ＩＰ対応のストレージ機能を備えたデジタル機器である。
【００６７】
デジタルテレビジョン放送受信装置１１１は、ローカル暗号を施して蓄積用ストレージであるＨＤＤ１３９に記録した番組を、一旦デスクランブルした後で、再びDＴＣＰ−ＩＰによる暗号化を実行して、家庭内ネットワークにあるＤＴＣＰ−ＩＰ対応のストレージ（ＨＤＤ１２５、ＨＤＤ１２７、コンテンツサーバ１２８、コンテンツサーバ１３３）にコピーする機能を備えている。
【００６８】
このコピー処理は詳細には、図２の制御部２６１によって実行される。制御部２６１は、ＵＳＢ  Ｉ／Ｆ２７１経由でＵＳＢ端子１２３に接続されている蓄積用ストレージのＨＤＤ１３９から再生する。そして制御部２６１は、この再生した信号についてローカル暗号を暗号復号し、更にＤＴＣＰ−ＩＰ暗号化した後、通信Ｉ／Ｆ２６９や通信Ｉ／Ｆ２７０経由で第１および第２のＬＡＮ端子１２１，１２２の先に接続されているＤＴＣＰ−ＩＰ対応のストレージ（ＨＤＤ１２５、ＨＤＤ１２７、コンテンツサーバ１２８、コンテンツサーバ１３３）にコピーすることでコピー処理が行われる。
【００６９】
次に、図５を用いてユーザの設定画面について説明する。
本発明では、デジタルテレビジョン放送受信装置１１１に対して、ユーザが所望の番組の蓄積用ストレージであるＨＤＤ１３９に記録指示した後、この記録が終った後で、記録したコンテンツを自動でＤＴＣＰ−ＩＰ対応のストレージにコピーするかどうかを設定するための設定画面を設け、予めユーザが設定をすることができる。
【００７０】
図５は、この設定を行うための設定画面の例を示す図である。この図５に示す設定画面は、デジタルテレビジョン放送受信装置１１１の初期設定時等の設定画面の一部として設けられる。
【００７１】
図５に示す設定画面には、ユーザが受信した番組を蓄積用ストレージであるＨＤＤ１３９に記録指示したとき、この記録指示による番組記録後、この記録したコンテンツを自動でＤＴＣＰ−ＩＰ対応のストレージにコピーするか否かの設定項目を設けられている。
【００７２】
この設定画面はリモートコントローラ１１７のメニュー表示キー等の操作に基づいて、図２の制御部２６１がＯＳＤ信号生成部２５７を制御することにより生成され、映像表示器１１４に表示される。このＧＵＩ（Graphical User Interface）技術については種々ある周知の技術を適用することに実現可能である。
【００７３】
ユーザは映像表示器１１４に表示された図５の設定画面に対して、リモートコントローラ１１７の上下左右キー等の操作により、「はい」にフォーカスを合わせた後、リモートコントローラ１１７の決定キーを押下すると、受信した番組を蓄積用ストレージであるＨＤＤ１３９に記録指示したとき、この記録指示による番組記録後、この記録したコンテンツを自動でＤＴＣＰ−ＩＰ対応のストレージにコピーする機能が有効となる。図５の例では「はい」が太枠となっており、「はい」にフォーカスが当たっている。反対に、「いいえ」にフォーカスを合わせた後、リモートコントローラ１１７の決定キーを押下すると、上記した自動でコピーする機能が無効となる。
【００７４】
制御部２６１は、この自動でコピーする機能が有効／無効であることを示す情報を制御部２６１内の不揮発性メモリ等に保持する。
なお、詳細には制御部２６１は、次の３つの条件を満たしていた場合に、蓄積用ストレージであるＨＤＤ１３９に記録したコンテンツを自動でＤＴＣＰ−ＩＰ対応のストレージ（ＨＤＤ１２５、ＨＤＤ１２７、コンテンツサーバ１２８、コンテンツサーバ１３３）にコピーする。よって、たとえ（条件２）を満足していたとしても、他の（条件１）や（条件３）が満足していないのであればコピーは実行されない。
【００７５】
（条件１）記録したコンテンツがコピー可能。
（条件２）ユーザの設定内容が、自動でＤＴＣＰ−ＩＰ対応のストレージにコピーする設定になっている。
（条件３）ＤＴＣＰ−ＩＰ対応のストレージが接続中。
次に、図６を用いてデジタルテレビジョン放送受信装置１１１の番組の記録および記録した番組のコピー動作について説明する。
図６は、デジタルテレビジョン放送受信装置１１１の番組の記録動作を説明するためのフローチャートである。
ステップＳ６０１：  図６において、制御部２６１は、蓄積用ストレージであるＨＤＤ１３９への記録指示を受け付ける。この記録指示は、例えばリモートコントローラ１１７の操作によって行われ、例えば電子番組ガイドを介した番組単位での録画予約を、受光部１１８を介して受け付ける。
【００７６】
ステップＳ６０２：  ステップＳ６０１にて蓄積用ストレージであるＨＤＤ１３９への番組の記録指示を受け付けると、制御部２６１は、蓄積用ストレージであるＨＤＤ１３９への番組の記録を実行する。
【００７７】
ステップＳ６０３：  ステップＳ６０２にて番組の記録が実行され、番組が蓄積用ストレージであるＨＤＤ１３９へ記録されると、制御部２６１は、上記（条件１）を満足し、記録したコンテンツがコピー可能か否かを判定する。もし、この判定結果がコピー可能であればステップＳ６０４へ進み、コピー不可能であればＤＴＣＰ−ＩＰ対応のストレージにはコピーせずにこのフロー処理を終了する。
【００７８】
ステップＳ６０４：  ステップＳ６０３にて上記（条件１）を満足しており記録したコンテンツがコピー可能であれば、次に制御部２６１は、制御部２６１内の不揮発性メモリの内容を参照することにより、上記（条件２）ユーザの設定内容が、自動でＤＴＣＰ−ＩＰ対応のストレージにコピーする設定になっているか否かを判定する。もし、この判定結果がコピーする設定になっていればステップＳ６０５へ進み、コピーする設定になっていなければＤＴＣＰ−ＩＰ対応のストレージにはコピーせずにこのフロー処理を終了する。
【００７９】
ステップＳ６０５：  ステップＳ６０４にて上記（条件２）を満足しておりコピーする設定になっていれば、次に制御部２６１は、上記（条件３）ＤＴＣＰ−ＩＰ対応のストレージが接続中であるか否かを判定する。もし、この判定結果が接続中であればステップＳ６０６へ進み、接続中でなければＤＴＣＰ−ＩＰ対応のストレージにはコピーせずにこのフロー処理を終了する。
【００８０】
ステップＳ６０６：  ステップＳ６０５にて上記（条件３）を満足しておりＤＴＣＰ−ＩＰ対応のストレージが接続中である場合、即ち、上記ステップＳ６０３〜Ｓ６０５にて、上記（条件１）〜（条件３）が満足する場合には、制御部２６１は、ステップＳ６０２にて蓄積用ストレージであるＨＤＤ１３９へ記録された番組を、接続中であるＤＴＣＰ−ＩＰ対応のストレージへコピーする。このとき制御部２６１は、蓄積用ストレージであるＨＤＤ１３９へ記録された番組がダビング１０の番組であればコピー回数を１回分減らす。
【００８１】
このステップＳ６０６では、ＤＴＣＰ−ＩＰ対応のストレージとしては、予め特定の１台が決められていてこれにコピーするようにしても良いし、予め決められておらず任意の１台（例えば一番最初に見つかった１台，複数見つかったときには空き容量の大きい１台等）としてもよい。
【００８２】
（変形例）
ＤＴＣＰ−ＩＰ対応のストレージが複数ある場合には複数台の内、優先順位の高いストレージにコピーできるようにしてもよい。
図５で「はい」にフォーカスを当てた後、リモートコントローラ１１７の決定キーを押下すると、図７に示す設定画面が表示される。この図７の設定画面の例では優先順位を５位まで指定することができる。設定時、図７の設定画面には、接続されているＤＴＣＰ−ＩＰ対応のストレージ（ＨＤＤ１２５、ＨＤＤ１２７、コンテンツサーバ１２８、コンテンツサーバ１３３）の４台が表示されており、ユーザはリモートコントローラ１１７に設けられている入替キーを押下することで、フォーカスが当てられたＤＴＣＰ−ＩＰ対応のストレージの順位を入れ替え（例えば、フォーカスが当てられたストレージの、次の順位のストレージと順位が入れ替わる）、これを繰り返すことにより全体の順位を所望の順位に変更する。図７の例では、優先順位を、例えば優先順位１：ＨＤＤ１２５、優先順位２：ＨＤＤ１２７、優先順位３：コンテンツサーバ１２８、優先順位４：コンテンツサーバ１３３というように予め順位付けた例である。
【００８３】
このようにして順位付けを行った後、上記ステップＳ６０６では、優先順位の高い順に接続中か探して最初に見つかったコピー先を選択するようにしてもよい。このようにしておくことにより、ユーザは、ユーザの優先順位の高い順でＤＴＣＰ−ＩＰ対応のストレージへコピーをさせることができる。
【００８４】
以上説明したとおり、この発明によれば、蓄積用ストレージに記録した番組のコンテンツをＤＴＣＰ−ＩＰ対応のストレージにコピーするために、蓄積用ストレージに記録する操作の後、別にユーザ操作を必要としない記録装置、記録方法を得ることができる。
【００８５】
（第２の実施形態）
この第２の実施形態は、第１の実施形態とほぼ同じであるため異なる点についてのみ説明することとする。
上記第１の実施形態では、番組を蓄積用ストレージであるＨＤＤ１３９へ記録した後に、記録したコンテンツをＤＴＣＰ−ＩＰ対応のストレージにコピーする処理手順であった。この場合、ＤＴＣＰ−ＩＰ対応のストレージへのコピーには１．１倍速程度でコピーできない。このため番組の記録開始からコピー完了まで、約２倍弱の時間を要してしまうという問題がある。
【００８６】
この発明の第２の実施形態は、番組を蓄積用ストレージであるＨＤＤ１３９へ記録実行中に平行して、ＤＴＣＰ−ＩＰ対応のストレージにコピーを実行する処理手順も可能である。この場合は、上記の（条件２）および（条件３）が有効であればコピーを実行し、記録終了後に（条件１）の判定を行う。
【００８７】
そして（条件１）を満たすときには蓄積用ストレージ上の記録コンテンツのコピー回数を１回分減らしたうえで（※放送のダビングが１０回に制限された、いわゆるダビング１０のコンテンツであった場合）、ＤＴＣＰ−ＩＰ対応のストレージにコピーしたコンテンツを有効にする。反対に（条件１）を満たさないときにはＤＴＣＰ−ＩＰ対応のストレージにコピーしたコンテンツを有効にせず破棄する。
【００８８】
以上説明したとおり、この発明によれば、番組の記録開始から、ＤＴＣＰ−ＩＰ対応のストレージにコピー終了までに要す時間を大幅に短縮することができる。
（第３の実施形態）
この第２の実施形態は、第１の実施形態とほぼ同じであるため異なる点についてのみ説明することとする。
上記第１の実施形態および第２の実施形態では、蓄積用ストレージであるＨＤＤ１３９へ記録した番組のＤＴＣＰ−ＩＰ対応のストレージへのコピー（アップロード）を、コピー可能なコンテンツに限定していた。
【００８９】
この第３の実施形態では、ムーブのみ可能なコンテンツを自動でＤＴＣＰ−ＩＰ対応のストレージにムーブさせるように機能を拡張することも可能である。
この第３の実施形態では、上記第１の実施形態の（条件１）に変え、記録したコンテンツがムーブ可能であるかを判断する。そしてコピーに代えムーブを実行することで、自動的に記録した番組をＤＴＣＰ−ＩＰ対応のストレージへのムーブすることができる。
【００９０】
（条件１）記録したコンテンツがムーブ可能。
（条件２）ユーザの設定内容が、自動でＤＴＣＰ−ＩＰ対応のストレージにコピーする設定になっている。
（条件３）ＤＴＣＰ−ＩＰ対応のストレージが接続中。
以上説明したとおり、この発明によれば、蓄積用ストレージに記録した番組のコンテンツをＤＴＣＰ−ＩＰ対応のストレージにムーブするために、蓄積用ストレージに記録する操作の後、別にユーザ操作を必要としない記録装置、記録方法を得ることができる。
【００９１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【符号の説明】
【００９２】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2011160153.tif 000003
【図２】
2011160153.tif 000004
【図３】
2011160153.tif 000005
【図４】
2011160153.tif 000006
【図５】
2011160153.tif 000007
【図６】
2011160153.tif 000008
【図７】
2011160153.tif 000009